(57)【要約】【課題】難解な表現が変換されたテキストを表示するテキスト表示装置、テキスト表示方法、及びテキスト変換プログラムを提供すること【解決手段】アプリケーション部１１０はテキスト表示を含むデータ処理を行う。平易表現変換部１３０は、アプリケーション部１１０から入力されたテキストを平易な表現に変換するための変換ルールに基づいて変換した変換テキストを生成する。表示部１４０は、変換テキストを表示する。【選択図】図９
2014142971.tif 000002
【特許請求の範囲】
【請求項１】
テキスト表示を含むデータ処理を行うアプリケーション部と、
前記アプリケーション部から入力されたテキストを平易な表現に変換するための変換ルールに基づいて変換した変換テキストを生成する平易表現変換部と、
前記変換テキストを表示する表示部と、を備えるテキスト表示装置。
【請求項２】
前記変換ルールには、日本語テキストを訓読み化するためのルールが含まれることを特徴とする請求項１に記載のテキスト表示装置。
【請求項３】
情報を提供したユーザ毎に前記平易表現変換部による変換を行うか否かを示す変換ユーザフラグを記憶する変換ユーザ記憶部を備え、
前記平易表現変換部は、情報を提供したユーザにかかる前記変換ユーザフラグが設定されている場合に前記変換テキストを生成し、情報を提供したユーザにかかる前記変換ユーザフラグが設定されていない場合に前記変換テキストを生成しないことを特徴とする請求項１または請求項２に記載のテキスト表示装置。
【請求項４】
ユーザが入力したことのある表現を記憶する入力表現記憶部を備え、
前記平易表現変換部は、前記入力表現記憶部に記憶されている表現を変換対象から除外することを特徴とする請求項１乃至請求項３のいずれか１項に記載のテキスト表示装置。
【請求項５】
前記平易表現変換部は、前記変換テキストをユーザの指示に応じて変換前のテキストに再変換することを特徴とする請求項１乃至請求項４のいずれか１項に記載のテキスト表示装置。
【請求項６】
前記変換ルールを記憶する変換ルール記憶部を備えることを特徴とする請求項１乃至請求項５のいずれか１項に記載のテキスト表示装置。
【請求項７】
入力されたテキストを、平易な表現に変換するための変換ルールに基づいて変換した変換テキストを生成する平易表現変換生成ステップと、
前記変換テキストを表示する表示ステップと、を備えるテキスト表示方法。
【請求項８】
前記変換ルールには、日本語テキストを訓読み化するためのルールが含まれることを特徴とする請求項７に記載のテキスト表示方法。
【請求項９】
入力されたテキストを変換するための処理をコンピュータに実行させるためのプログラムであって、
前記処理は、入力されたテキストを、平易な表現に変換するための変換ルールに基づいて変換した変換テキストを生成する変換テキスト生成ステップを備えるテキスト変換プログラム。
【請求項１０】
入力されたテキストを、平易な表現に変換するための変換ルールに基づいて変換した変換テキストを生成して出力する平易表現変換部を備えるテキスト変換装置。
【発明の詳細な説明】
【技術分野】
【０００１】
本発明はテキスト表示装置、テキスト表示方法、テキスト変換プログラム、及びテキスト変換装置に関する。
【背景技術】
【０００２】
近年、携帯電話、ＰＤＡ（Personal Data Assistance）等の携帯端末は多様なユーザに利用されている。ここで、従来の携帯端末を用いて電子メールを受信する場合、送信者により作成された文書をそのまま表示していた。そのため、電子メールの送信者は予めメール受信者の年齢、日本語知識等に配慮してメール文書を作成する必要があった。このような配慮がなされていない場合、電子メールの受信者はメールの内容を理解できない、あるいは誤って理解するなどの不都合が生じていた。
【０００３】
なお、当該問題はＷＷＷ（World Wide Web）上の情報を、携帯端末を用いて参照する場合等においても発生し得る。すなわち、情報提供者が読み手となるユーザの年齢、日本語知識等に配慮して文書を作成していない場合、読み手となるユーザは文書を理解できない等の問題が生じていた。
【０００４】
特許文献１は、表示テキスト中の漢字の読み仮名を付加表示することのできるテキスト表示装置に関する技術について開示している。当該テキスト表示装置では、テキスト表示処理を行うアプリケーションから表示対象となるテキストを抽出して、当該テキストの漢字にルビを振る。そして、ルビが付与されたテキストが表示される。漢字にルビが付されることにより、テキストの意味を理解することが容易になる。
【先行技術文献】
【特許文献】
【０００５】
【特許文献１】特開２００９−１６３４７９号公報
【発明の概要】
【発明が解決しようとする課題】
【０００６】
しかしながら、特許文献１に記載のテキスト表示装置には以下の問題がある。一般に難解な表現に不慣れなユーザにとっては、理解できる表現が多くない。例えば日本語を母国語としない外国人は、理解できる日本語のボキャブラリが一般的に少ない。このような日本語に不慣れなユーザにとっては、テキストにルビが付されても依然としてその内容がわからないことが多い。すなわち特許文献１に記載のテキスト表示装置によっては、ルビは付されているが、依然として難解な表現が用いられている文書が表示されてしまう。
【０００７】
本発明はこのような問題を解決するためになされたものであり、難解な表現が変換されたテキストを表示するテキスト表示装置、テキスト表示方法、及びテキスト変換プログラムを提供することを目的とする。
【課題を解決するための手段】
【０００８】
本発明にかかるテキスト表示装置の一態様は、テキスト表示を含むデータ処理を行うアプリケーション部と、前記アプリケーション部から入力されたテキストを平易な表現に変換するための変換ルールに基づいて変換した変換テキストを生成する平易表現変換部と、前記変換テキストを表示する表示部と、を備えるものである。
【０００９】
本発明にかかるテキスト表示方法の一態様は、入力されたテキストを、平易な表現に変換するための変換ルールに基づいて変換した変換テキストを生成する平易表現変換生成ステップと、前記変換テキストを表示する表示ステップと、を備えるものである。
【００１０】
本発明にかかるテキスト変換プログラムの一態様は、入力されたテキストを変換するための処理をコンピュータに実行させるためのプログラムであって、前記処理は、入力されたテキストを、平易な表現に変換するための変換ルールに基づいて変換した変換テキストを生成する変換テキスト生成ステップを備えるものである。
【００１１】
本発明にかかるテキスト変換装置の一態様は、入力されたテキストを、平易な表現に変換するための変換ルールに基づいて変換した変換テキストを生成して出力する平易表現変換部を備えるものである。
【発明の効果】
【００１２】
本発明によれば、難解な表現が変換されたテキストを表示するテキスト表示装置、テキスト表示方法、及びテキスト変換プログラムを提供することができる。
【図面の簡単な説明】
【００１３】
【図１】実施の形態１にかかる携帯端末の構成を示すブロック図である。
【図２】実施の形態１にかかる変換ルールを示す図である。
【図３】実施の形態１にかかる電子メールを受信した場合の携帯端末の動作を示すフローチャートである。
【図４】実施の形態２にかかる携帯端末の構成を示すブロック図である。
【図５】実施の形態２にかかる入力表現記憶部に記憶された情報を示す図である。
【図６】実施の形態２にかかるアドレス記憶部１６０に格納された情報を示す図である。
【図７】実施の形態２にかかる電子メールを受信した場合の携帯端末の動作を示すフローチャートである。
【図８】実施の形態２にかかる以前に電子メールを受信したことのないユーザからの電子メールを受信した場合の処理を示すフローチャートである。
【図９】実施の形態１にかかる携帯端末の構成を示すブロック図である。
【発明を実施するための形態】
【００１４】
実施の形態１
以下、図面を参照して本発明の実施の形態について説明する。図１は本実施の形態にかかる携帯端末１０の構成を示すブロック図である。携帯端末１０は、メーラー部１１０と、変換ルール記憶部１２０と、平易表現変換部１３０と、表示部１４０と、を備える。携帯端末１０は、テキスト表示を含むデータ処理を行うアプリケーションが稼働し、テキストを表示する表示部を備えたテキスト表示装置である。
【００１５】
携帯端末１０の例としては、たとえば携帯電話、スマートフォン（Smartphone）、ＰＨＳ（Personal Handy-phone System）、ＰＤＡ（Personal Data Assistance）が挙げられる。以下の説明では、携帯端末１０は携帯電話であるものとする。
【００１６】
メーラー部１１０は、テキスト表示処理を含むデータ処理を行うアプリケーションの一例である。メーラー部１１０は、電子メールの送受信等を行うアプリケーションである。メーラー部１１０は、表示対象のテキストを平易表現変換部１３０に出力する。また、メーラー部１１０は、平易表現変換部１３０から変換したテキストが入力される。メーラー部１１０は、当該変換されたテキストを表示部１４０に入力する。
【００１７】
変換ルール記憶部１２０は、後述の平易表現変換部１３０が用いる変換ルールを記憶する記憶部である。変換ルールとは、テキストを平易な表現に変換するためのルールである。すなわち、変換ルールは、ユーザにとって理解することが難しい語彙を同義の語彙に変換するためのルールである。
【００１８】
変換ルール記憶部１２０が記憶する変換ルールの一例を図２に示す。変換ルールには、理解が難しい日本語を訓読みの多い表現にして平易にするルール（訓読み化ルール）が含まれる。たとえば図２には、「調査する」という日本語を「調べる」と変換するルールが記載されている。
【００１９】
変換ルールには、訓読みに変換するルールに限らず、難解な日本語を平易化するルールが含まれていてもよい。たとえば図２に示したように、変換ルールには、日本語が不慣れなユーザにとって理解が困難な季節の挨拶を平易な日本語に変換するルールが含まれてもよい。また図示していないが、携帯端末１０は、漢字にルビを振るための情報を含む記憶部を変換ルール記憶部とは別に備える構成であってもよい。
【００２０】
なお、携帯端末１０は必ずしも内部に変換ルール記憶部１２０を備える構成でなくてもよい。たとえば、携帯端末１０は、インターネット上に配置された変換ルール記憶部１２０に相当する格納部を備えたサーバに適宜アクセスし、変換ルールを参照することも可能である。また、携帯端末１０は変換ルールをサーバから順次ダウンロードしてもよい。
【００２１】
平易表現変換部１３０は、変換ルール記憶部１２０に格納された変換ルールに基づいて、メーラー部１１０から入力されたテキストを変換する処理部である。平易表現変換部１３０は変換したテキストをメーラー部１１０に入力する。平易表現変換部１３０は、テキストの変換に際して、既存技術であるテキスト解析及び単語抽出を含む処理を行う。
【００２２】
たとえば、「鈴木さんに調査を依頼する。」という内容の電子メールを受信したことを想定する。この場合、メーラー部１１０が「鈴木さんに調査を依頼する。」というテキストを平易表現変換部１３０に入力する。平易表現変換部１３０は、変換ルール（図２）を参照して、当該テキストを「鈴木さんに調べることを頼む。」というテキストに変換する。平易表現変換部１３０は変換した当該テキストをメーラー部１１０に入力する。
【００２３】
なお、平易表現変換部１３０による変換処理は、ユーザの指示（たとえばキー入力による指示）に基づいて行うか否かを設定できてもよい。
【００２４】
表示部１４０は、平易表現変換部１３０によって変換されたテキスト等を表示するための処理部である。表示部１４０は、たとえば液晶表示装置や有機ＥＬ（electroluminescence）表示装置を備える処理部である。
【００２５】
なお、図示していないが、携帯端末１０は無線ＬＡＮ（Local Area Network）による通信機能、周囲を撮像するためのカメラ機能、テレビジョン等の映像データを受信する放送受信機能、位置を測定するためのＧＰＳ（Global Positioning System）等を備えた測位機能等を適宜備える構成である。
【００２６】
次に、図３のフローチャートを用いて、本実施の形態にかかる携帯端末１０が電子メールを受信した場合の動作について説明する。メーラー部１１０は電子メールを受信し（Ｓ１０１）、平易表現変換部１３０による変換を行うモードか否かを判定する（Ｓ１０２）。
【００２７】
変換を行うモードである場合（Ｓ１０２：Ｙｅｓ）、平易表現変換部１３０はメーラー部１１０から入力されたテキストを変換する（Ｓ１０３）。そして、変換されたテキストが表示部１４０に表示される（Ｓ１０４）。
【００２８】
一方、変換を行うモードではない場合（Ｓ１０２：Ｎｏ）、電子メールとして受信したテキストがそのまま表示部１４０に表示される（Ｓ１０４）。
【００２９】
続いて、本実施の形態にかかる携帯端末の効果について説明する。テキスト表示を含むデータ処理を行うアプリケーションであるメーラー１１０は、テキストを平易表現変換部１３０に入力する。平易表現変換部１３０は、平易な表現に変換するための変換ルールを用いることにより、難解な表現が用いられてない理解しやすいテキスト（たとえば訓読みの多いテキスト）を生成する。これにより、難解な表現を理解できないユーザであってもテキストの意味を理解することが容易になる。
【００３０】
実施の形態２
本発明の実施の形態２にかかる携帯端末は、情報の提供者に応じてテキスト変換を行うか否かを選択できることを特徴とする。また、本発明の実施の形態２にかかる携帯端末は、ユーザが入力したことがある表現を変換対象から除外することを特徴とする。本実施の形態にかかる携帯端末について、実施の形態１と異なる部分について説明する。
【００３１】
図４は、本実施の形態にかかる携帯端末１０の構成を示すブロック図である。本実施の形態にかかる携帯端末１０は、実施の形態１にかかる携帯端末１０の構成に加えて入力表現記憶部１５０と、アドレス記憶部１６０と、を備える。
【００３２】
入力表現記憶部１５０は、ユーザがキー操作等により入力をしたことがある表現を記憶するための記憶部である。たとえば、入力表現記憶部１５０は、ユーザが電子メールの送信時に使用したことがある漢字表現を記憶する。入力表現記憶部１５０に記憶された情報の例を図５に示す。図５の例では、「調査する」という文字列を電子メール等の送信時に使用したことがあることが示されている。入力表現記憶部１５０に格納されている文字列は、ユーザが意味を認識している文字列と考えられる。そのため、平易表現変換部１３０は、入力表現記憶部１５０に格納されている表現を変換対象から除外する。
【００３３】
なお、携帯端末１０は必ずしも入力表現記憶部１５０を備える必要はなく、例えばユーザがキー操作等により入力をしたことがある表現を変換ルール記憶部１２０内の変換ルールから削除してもよい。
【００３４】
アドレス記憶部１６０は、情報提供を行ったユーザ（例えばメールを送信したユーザ）毎に平易表現変換部１３０による変換を行うか否かを示す変換フラグを記憶する記憶部である。アドレス記憶部１６０の一態様として、例えば携帯端末１０の備えるアドレス帳機能に変換フラグの属性を備えるものが挙げられる。アドレス記憶部１６０に格納された情報の一例を図６に示す。
【００３５】
図６の例では、ユーザＡには変換フラグが設定されている。変換フラグが設定されている場合、当該ユーザから送信された電子メールのテキストは変換される。よって、ユーザＡから受信した電子メールについて、平易表現変換部１３０はテキスト変換を行う。一方、ユーザＢには変換フラグが設定されていない。そのため、ユーザＡから受信した電子メールについて、平易表現変換部１３０はテキスト変換を行わない。また、以前に電子メールを受信したことが無いユーザについては、変換フラグが設定されているものとして処理される。
【００３６】
変換フラグの設定は、たとえばユーザが表示部１４０からアドレス帳画面を参照し、当該ユーザについて変換フラグを設定するか否かをキー入力により指定することにより行う。これにより、あるユーザから電子メールを受信したことが無い場合であっても、テキスト変換を実行するか否かを指定することが出来る。またアドレス帳の操作により、多数のユーザに関して一括して変換フラグを設定することも可能である。
【００３７】
次に、図７のフローチャートを用いて、本実施の形態にかかる携帯端末１０が電子メールを受信した場合の動作について説明する。Ｓ１０１及びＳ１０２の処理については、実施の形態１と同様である。
【００３８】
変換を行うモードである場合（Ｓ１０２：Ｙｅｓ）、平易表現変換部１３０はアドレス記憶部１６０を参照する。そして、メールを送信してきたユーザに対して変換フラグが設定されているか否かを判定する（Ｓ１０５）。
【００３９】
変換フラグが設定されている場合（Ｓ１０５：Ｙｅｓ）、平易表現変換部１３０は入力表現記憶部１５０を参照し、変換を行わない表現を記憶する（Ｓ１０６）。また、変換フラグが設定されている場合であっても（Ｓ：１０５：Ｙｅｓ）、ユーザのキー操作等によりテキスト変換が指示された場合（Ｓ１０７：Ｙｅｓ）、平易表現変換部１３０は入力表現記憶部１５０を参照し、変換を行わない表現を記憶する（Ｓ１０６）。そして、平易表現変換部１３０は、テキスト変換を実行する（Ｓ１０３）。この際、入力表現記憶部１５０に記憶されていた表現は変換されない。そして、変換されたテキストが表示部１４０に表示される（Ｓ１０４）。
【００４０】
変換フラグが設定されていない場合（Ｓ１０５：Ｎｏ）、電子メールを送信したユーザから以前に電子メールを受信したことがあるか否かを判定する（Ｓ１０７）。以前に電子メールを受信したことが無いユーザからの電子メールである場合（Ｓ１０７：Ｙｅｓ）、携帯端末１０のユーザは当該電子メールのテキストを変換するか否かをキー操作等により指示する（Ｓ１０８）。変換指示がなされた場合（Ｓ１０８：Ｙｅｓ）、平易表現変換部１３０はテキストの変換処理を行う（Ｓ１０６、Ｓ１０３）。
【００４１】
一方、変換を行うモードではない場合（Ｓ１０２：Ｎｏ）、電子メールとして受信したテキストがそのまま表示部１４０に表示される（Ｓ１０４）。また、以前に電子メールを受信したことのないユーザからの電子メールであり（Ｓ１０７：Ｎｏ）、かつ携帯端末１０のユーザからの変換指示が無い場合（Ｓ１０８：Ｎｏ）、電子メールとして受信したテキストがそのまま表示部１４０に表示される（Ｓ１０４）。
【００４２】
次に、図８のフローチャートを用いて、以前に電子メールを受信したことのないユーザからの電子メールを受信した場合の処理について説明する。以後の説明では、以前に電子メールを受信したことのないユーザをユーザＣとする。
【００４３】
携帯端末１０のユーザは、表示部１４０に表示されたテキストを参照する（Ｓ２０１）。当該ユーザは、表示されたテキストが理解可能であるか否かを判断する。そして、ユーザは当該テキストの再変換を行うか否かをキー操作等により入力する（Ｓ２０２）。
【００４４】
再変換する場合（Ｓ２０２：Ｙｅｓ）、平易表現変換部１３０は、テキストの再変換を行う（Ｓ２０３）。すなわち、すでに平易な表現に変換されている場合には、電子メールとして受信したテキストに戻す処理を行う。一方、平易表現変換部１３０によりテキスト変換が行われていない場合、平易表現変換部１３０はテキストの変換処理（Ｓ１０３相当の処理）を行う。
【００４５】
テキストを表示した後に、携帯端末１０のユーザはアドレス記憶部１６０の更新を行うか否かを判断する。すなわち、ユーザＣについての変換フラグの設定を行うか否かを判断する。携帯端末１０のユーザは、アドレス記憶部１６０内のユーザＣについての情報の更新を行うか否かをキー操作等により指示する（Ｓ２０４）。
【００４６】
情報の更新が指示された場合（Ｓ２０４：Ｙｅｓ）、アドレス記憶部１６０内の情報が更新される。一方、情報の更新が指示されなかった場合（Ｓ２０４：Ｎｏ）、処理を終了する。
【００４７】
続いて本実施の形態にかかる携帯端末１０の効果について説明する。上述のように、情報を提供したユーザ（本例では電子メールを送信したユーザ）毎に平易表現変換部１３０によるテキスト変換を行うか否かを変換フラグにより設定できる。これにより、たとえばいつもやり取りを行っている送信者からの電子メールはテキスト変換しないため、必要な場合のみテキスト変換を行うことが出来る。
【００４８】
また、既にユーザが入力したことのある表現をテキストの変換対象から除外することが出来る。これにより、ユーザが認識していない表現のみを変換して表示することが可能になる。
【００４９】
なお、本発明は上記実施の形態に限られたものではなく、趣旨を逸脱しない範囲で適宜変更することが可能である。たとえば当該テキスト変換技術は、携帯端末に限らず通常のパーソナルコンピュータ（Personal Computer）に対しても応用できる。
【００５０】
また、上述の実施例では、テキスト表示処理を含むデータ処理を行うアプリケーションとしてメーラーの例をあげたが、これに限られない。たとえば、ウェブブラウザを用いたテキスト表示処理に対して本願のテキスト変換処理を適用することが可能である。
【００５１】
さらにまた、携帯端末１０がテキストの変換を行わず、本願にかかる変換処理を実現するためのサーバが存在する構成であってもよい。すなわち、携帯端末はテキストをサーバに送信し、サーバから変換後のテキストを受信する構成であってもよい。つまり、テキストを平易な表現に変換するためのテキスト変換装置がサーバに配置されていてもよい。
【００５２】
平易表現変換部１３０の行う処理は、ＣＰＵ（Central Processing Unit）にコンピュータプログラムを実行させることにより実現することも可能である。この場合、コンピュータプログラムは、記録媒体に記録して提供することも可能であり、また、インターネットその他の通信媒体を介して伝送することにより提供することも可能である。また、記憶媒体には、例えば、フレキシブルディスク、ハードディスク、磁気ディスク、光磁気ディスク、ＣＤ−ＲＯＭ、ＤＶＤ、ＲＯＭカートリッジ、バッテリバックアップ付きＲＡＭメモリカートリッジ、フラッシュメモリカートリッジ、不揮発性ＲＡＭカートリッジ等が含まれる。また、通信媒体には、電話回線等の有線通信媒体、マイクロ波回線等の無線通信媒体等が含まれる。
【００５３】
なお、本実施の形態１にかかる携帯端末１０の最小構成を図９に示す。携帯端末１０は、アプリケーション部（メーラー部）１１０と、平易表現変換部１３０と、表示部１４０と、を備える。平易表現変換部１３０はアプリケーション部１１０から入力されたテキストを平易な表現（例えば訓読み化されたテキスト表現）に変換する。表示部１４０には、変換されたテキストが表示される。当該構成によっても難解な表現に不慣れなユーザにとって理解しやすいテキストが表示される。
【００５４】
上記実施形態の一部又は全部は、以下の付記のようにも記載されうるが、以下には限られない。
【００５５】
（付記１）
テキスト表示を含むデータ処理を行うアプリケーション部と、
前記アプリケーション部から入力されたテキストを平易な表現に変換するための変換ルールに基づいて変換した変換テキストを生成する平易表現変換部と、
前記変換テキストを表示する表示部と、を備えるテキスト表示装置。
【００５６】
（付記２）
前記変換ルールには、日本語テキストを訓読み化するためのルールが含まれることを特徴とする付記１に記載のテキスト表示装置。
【００５７】
（付記３）
情報を提供したユーザ毎に前記平易表現変換部による変換を行うか否かを示す変換ユーザフラグを記憶する変換ユーザ記憶部を備え、
前記平易表現変換部は、情報を提供したユーザにかかる前記変換ユーザフラグが設定されている場合に前記変換テキストを生成し、情報を提供したユーザにかかる前記変換ユーザフラグが設定されていない場合に前記変換テキストを生成しないことを特徴とする付記１または付記２に記載のテキスト表示装置。
【００５８】
（付記４）
ユーザが入力したことのある表現を記憶する入力表現記憶部を備え、
前記平易表現変換部は、前記入力表現記憶部に記憶されている表現を変換対象から除外することを特徴とする付記１乃至付記３のいずれか１項に記載のテキスト表示装置。
【００５９】
（付記５）
前記平易表現変換部は、前記変換テキストをユーザの指示に応じて変換前のテキストに再変換することを特徴とする付記１乃至付記４のいずれか１項に記載のテキスト表示装置。
【００６０】
（付記６）
前記変換ルールを記憶する変換ルール記憶部を備えることを特徴とする付記１乃至付記５のいずれか１項に記載のテキスト表示装置。
【００６１】
（付記７）
入力されたテキストを、平易な表現に変換するための変換ルールに基づいて変換した変換テキストを生成する平易表現変換生成ステップと、
前記変換テキストを表示する表示ステップと、を備えるテキスト表示方法。
【００６２】
（付記８）
前記変換ルールには、日本語テキストを訓読み化するためのルールが含まれることを特徴とする付記７に記載のテキスト表示方法。
【００６３】
（付記９）
情報を提供したユーザ毎に前記平易表現変換部による変換を行うか否かを示す変換ユーザフラグを設定する変換ユーザ設定ステップを備え、
前記平易表現変換生成ステップでは、情報を提供したユーザにかかる前記変換ユーザフラグが設定されている場合に前記変換テキストを生成し、情報を提供したユーザにかかる前記変換ユーザフラグが設定されていない場合に前記変換テキストを生成しないことを特徴とする付記７または付記８に記載のテキスト表示方法。
【００６４】
（付記１０）
前記平易表現変換生成ステップでは、ユーザが入力したことのある表現を変換対象から除外することを特徴とする付記７乃至付記９のいずれか１項に記載のテキスト表示方法。
【００６５】
（付記１１）
前記平易表現変換生成ステップの後に、前記変換テキストをユーザの指示に応じて変換前のテキストに再変換することを特徴とする再変換ステップを備えることを特徴とする付記７乃至付記１０のいずれか１項に記載のテキスト表示方法。
【００６６】
（付記１２）
入力されたテキストを変換するための処理をコンピュータに実行させるためのプログラムであって、
前記処理は、入力されたテキストを、平易な表現に変換するための変換ルールに基づいて変換した変換テキストを生成する変換テキスト生成ステップを備えるテキスト変換プログラム。
【００６７】
（付記１３）
前記変換ルールには、日本語テキストを訓読み化するためのルールが含まれることを特徴とする付記１２に記載のテキスト変換プログラム。
【００６８】
（付記１４）
前記処理は、情報を提供したユーザ毎に前記平易表現変換部による変換を行うか否かを示す変換ユーザフラグを設定するフラグ設定ステップをさらに備え、
前記変換テキスト生成ステップでは、情報を提供したユーザにかかる前記変換ユーザフラグが設定されている場合に前記変換テキストを生成し、情報を提供したユーザにかかる前記変換ユーザフラグが設定されていない場合に前記変換テキストを生成しないことを特徴とする付記１２または付記１３に記載のテキスト変換プログラム。
【００６９】
（付記１５）
前記平易表現変換生成ステップでは、ユーザが入力したことのある表現を変換対象から除外することを特徴とする付記１２乃至付記１４のいずれか１項に記載のテキスト変換プログラム。
【００７０】
（付記１６）
前記処理は、前記平易表現変換生成ステップの後に、前記変換テキストをユーザの指示に応じて変換前のテキストに再変換する再変換ステップをさらに備えることを特徴とする付記１２乃至付記１５のいずれか１項に記載のテキスト変換プログラム。
【００７１】
（付記１７）
入力されたテキストを、平易な表現に変換するための変換ルールに基づいて変換した変換テキストを生成して出力する平易表現変換部を備えるテキスト変換装置。
【００７２】
（付記１８）
前記変換ルールには、日本語テキストを訓読み化するためのルールが含まれることを特徴とする付記１７に記載のテキスト変換装置。
【００７３】
（付記１９）
前記平易表現変換部は、前記変換テキストをユーザの指示に応じて変換前のテキストに再変換することを特徴とする付記１７または付記１８に記載のテキスト表示装置。
【符号の説明】
【００７４】
１０    携帯端末
１１０  メーラー部
１２０  変換ルール記憶部
１３０  平易表現変換部
１４０  表示部
１５０  入力表現記憶部
１６０  アドレス記憶部
【図１】
2014142971.tif 000003
【図２】
2014142971.tif 000004
【図３】
2014142971.tif 000005
【図４】
2014142971.tif 000006
【図５】
2014142971.tif 000007
【図６】
2014142971.tif 000008
【図７】
2014142971.tif 000009
【図８】
2014142971.tif 000010
【図９】
2014142971.tif 000011